(57)【要約】【課題】放射線治療を受ける患者の治療スケジュールに対して、必要な職種区分の職員の勤務スケジュールを生成することが可能な放射線治療業務管理システムを提供する。【解決手段】放射線治療業務を構成する複数の作業項目とその実施場所、各作業項目を実施するために必要な職種区分とその人数、所要時間、及び各作業項目を実施可能な日付を含む治療業務情報を、データベース１１に蓄積する。患者スケジュール作成手段１３は、放射線治療を受ける患者の患者情報をデータベース１１に登録し、患者に対して実施される作業項目、実施日、及び作業予定時間を含む患者スケジュールを作成する。職員スケジュール生成手段１４は、治療業務情報と患者スケジュールをもとに、患者スケジュールに含まれる作業項目の作業予定時間に対して当該職種区分の職員の割付を行い、職員スケジュールを自動的に生成する。【選択図】図１９
2010250681.tif 000002
【特許請求の範囲】
【請求項１】
放射線治療業務に携わる医師及び放射線技師を含む複数の職種区分の職員について勤務スケジュールを生成し、これを管理する放射線治療業務管理システムであって、放射線治療業務に関する情報を管理するサーバと、前記サーバとネットワークを介して接続された端末を備え、
前記サーバは、放射線治療業務を構成する複数の作業項目とその実施場所、前記各作業項目を実施するために必要な職種区分とその人数、所要時間、及び前記各作業項目を実施可能な日付を含む治療業務情報を設定する治療業務情報作成手段と、前記治療業務情報を蓄積する治療業務情報データベースと、放射線治療を受ける患者の氏名を含む患者情報を前記治療業務情報データベースに登録し、登録した患者に対して実施される前記作業項目、実施日、及び作業予定時間を含む患者スケジュールを作成する患者スケジュール作成手段と、前記治療業務情報と前記患者スケジュールをもとに、前記患者スケジュールに含まれる前記作業項目の作業予定時間に対して当該職種区分の職員の割付を行い、職員の勤務スケジュールを生成する職員スケジュール生成手段を備え、
前記端末は、職員が前記治療業務情報を前記治療業務情報データベースに入力するための入力手段と、その入力の際のメニュー画面及び前記勤務スケジュールを表示する表示手段を備えたことを特徴とする放射線治療業務管理システム。
【請求項２】
請求項１に記載の放射線治療業務管理システムであって、前記職員スケジュール生成手段は、選択された日付について、各作業項目の作業予定時間に割付された当該職種区分の職員を示す出勤オーダ表を作成することを特徴とする放射線治療業務管理システム。
【請求項３】
請求項１に記載の放射線治療業務管理システムであって、前記職員スケジュール生成手段は、同じ職種区分の職員について、１日の作業予定時間の差が所定時間以内となるように当該職種区分の職員の割付を行うことを特徴とする放射線治療業務管理システム。
【請求項４】
請求項１に記載の放射線治療業務管理システムであって、前記患者情報は、その患者が入院患者か通院患者かの区分、及びその患者の都合で治療を実施できない日の条件を示した患者都合情報を含み、前記患者スケジュール作成手段は、前記患者都合情報をもとに前記患者スケジュールを作成することを特徴とする放射線治療業務管理システム。
【請求項５】
請求項１に記載の放射線治療業務管理システムであって、前記患者情報は、その患者が担当を要望する職員を指名した患者要望情報を含み、前記職員スケジュール生成手段は、前記患者要望情報をもとに当該職種区分の職員の割付を行うことを特徴とする放射線治療業務管理システム。
【請求項６】
請求項１に記載の放射線治療業務管理システムであって、前記治療業務情報データベースには、各職種区分の職員の出勤予定日を含む職員出勤情報が登録され、前記職員スケジュール生成手段は、前記職員出勤情報をもとに各職種区分の職員の割付を行うことを特徴とする放射線治療業務管理システム。
【請求項７】
請求項１に記載の放射線治療業務管理システムであって、前記治療業務情報データベースには、職員の作業実施回数と平均所要時間を含む作業実績情報が登録され、前記職員スケジュール生成手段は、前記作業実績情報をもとに、当該作業項目の作業予定時間に適した当該職種区分の職員の割付を行うことを特徴とする放射線治療業務管理システム。
【請求項８】
請求項１に記載の放射線治療業務管理システムであって、前記治療業務情報データベースには、所定期間における職員の累計被曝量を管理する被曝量管理情報が登録され、前記職員スケジュール生成手段は、前記被曝量管理情報をもとに、職員の予測累計被曝量が予
め設定した管理値を超えないように当該職種区分の職員の割付を行うことを特徴とする放射線治療業務管理システム。
【請求項９】
請求項１に記載の放射線治療業務管理システムであって、前記表示手段は、職員名と日付を選択すると、その職員の当該日の作業項目、作業予定時間、実施場所、及び患者名を含む職員別作業リストを表示することを特徴とする放射線治療業務管理システム。
【請求項１０】
請求項９に記載の放射線治療業務管理システムであって、前記職員別作業リストは、職員の作業漏れを防止する作業チェック欄を有することを特徴とする放射線治療業務管理システム。
【請求項１１】
請求項９に記載の放射線治療業務管理システムであって、前記端末はさらに印刷手段を備え、前記職員別作業リストを印刷可能であることを特徴とする放射線治療業務管理システム。
【請求項１２】
請求項１に記載の放射線治療業務管理システムであって、前記治療業務情報データベースには、作業項目を実施する職員に対して、少なくとも当該作業項目の作業予定時間と実施場所を通知する電子メールを配信する時刻を設定する通知時刻設定情報が登録され、設定された時刻になると当該職員に前記電子メールが自動配信されることを特徴とする放射線治療業務管理システム。
【発明の詳細な説明】
【技術分野】
【０００１】
本発明は、放射線治療業務に携わる複数の職種区分の職員の勤務スケジュールを生成し、これを管理する放射線治療業務管理システムに関するものである。
【背景技術】
【０００２】
近年、がんの最先端治療として放射線治療が注目されており、全国的に放射線治療施設の建設が進んでいる。放射線治療は、固定具作成、ＣＴシミュレーション(ＣＴＳ)、治療計画立案等、いくつかの作業項目から構成されている。それらの作業項目は、特定の場所（固定具作成室、ＣＴ撮影室、治療計画室等）で実施されるため、患者への放射線治療の適用が決まった段階で、治療スケジュールを考慮しながら各作業に職員を割付する必要がある。
【０００３】
従来システムとして、例えば特許文献１では、放射線部門における撮影業務について、撮影予約状況に応じて放射線技師の割り当てを行うスケジュール管理システムが提示されている。この特許文献１では、撮影予約の患者数、放射線技師のスキルに応じて、適切な撮影室またはモダリティに放射線技師を効率よく配置すると共に、各撮影室のモダリティの利用状況を容易に把握することができる。
【先行技術文献】
【特許文献】
【０００４】
【特許文献１】特開２００４−１５７８７７号公報
【発明の概要】
【発明が解決しようとする課題】
【０００５】
しかし、放射線治療業務は、放射線技師だけではなく、医師、看護師、医学物理士、事務員等、複数の職種区分の職員で役割分担を行いながら進められるものである。例えば、立案した治療計画を関係者で協議する治療討議は、医師、放射線技師、看護師等、治療に携わる職員が一堂に会して実施される業務である。従って、放射線治療に携わる全ての職種区分の全職員の勤務スケジュールを効率的に管理することが可能な放射線治療業務管理システムが求められている。
【０００６】
特許文献１に提示された従来システムでは、放射線技師を効率的に配置し、各撮影室のモダリティの利用状況を把握することは可能であるが、異なる職種間の連携を考慮したスケジュール管理になっておらず、治療を受ける患者数に対してどの職種区分の職員が何人必要となるのか、明確にすることができなかった。
【０００７】
本発明は上記のような課題を解決するためになされたもので、放射線治療を受ける患者の治療スケジュールに対して、必要な職種区分の職員の勤務スケジュールを生成することが可能な放射線治療業務管理システムを提供することを目的とする。
【課題を解決するための手段】
【０００８】
本発明に係る放射線治療業務管理システムは、放射線治療業務に携わる医師及び放射線技師を含む複数の職種区分の職員について勤務スケジュールを生成し、これを管理する放射線治療業務管理システムであって、放射線治療業務に関する情報を管理するサーバと、サーバとネットワークを介して接続された端末を備え、サーバは、放射線治療業務を構成する複数の作業項目とその実施場所、各作業項目を実施するために必要な職種区分とその人数、所要時間、及び各作業項目を実施可能な日付を含む治療業務情報を設定する治療業
務情報作成手段と、治療業務情報を蓄積する治療業務情報データベースと、放射線治療を受ける患者の氏名を含む患者情報を治療業務情報データベースに登録し、登録した患者に対して実施される作業項目、実施日、及び作業予定時間を含む患者スケジュールを作成する患者スケジュール作成手段と、治療業務情報と患者スケジュールをもとに、患者スケジュールに含まれる作業項目の作業予定時間に対して当該職種区分の職員の割付を行い、職員の勤務スケジュールを生成する職員スケジュール生成手段を備え、端末は、治療業務情報を治療業務情報データベースに入力するための入力手段と、その入力の際のメニュー画面及び勤務スケジュールを表示する表示手段を備えたものである。
【発明の効果】
【０００９】
本発明によれば、治療業務情報データベースに蓄積された治療業務情報と、患者に対して実施される作業項目、実施日、及び作業予定時間を含む患者スケジュールをもとに、患者スケジュールに含まれる作業項目の作業予定時間に対して当該職種区分の職員の割付を行うようにしたので、その作業項目に必要な職種区分の職員の勤務スケジュールを容易に生成することが可能である。
【図面の簡単な説明】
【００１０】
【図１】放射線治療業務管理システムの構成を示す図である。（実施の形態１)
【図２】データベースに格納されている情報を示す図である。（実施の形態１)
【図３】放射線治療業務管理システムの動作を示す図である。（実施の形態１)
【図４】放射線治療業務管理システムの画面構成を示す図である。（実施の形態１)
【図５】放射線治療業務管理システムのメニュー画面を示す図である。（実施の形態１)
【図６】カレンダーマスタ設定画面を示す図である。（実施の形態１)
【図７】実施場所マスタ設定画面を示す図である。（実施の形態１)
【図８】職種区分マスタ設定画面を示す図である。（実施の形態１)
【図９】作業項目マスタ設定画面を示す図である。（実施の形態１)
【図１０】患者登録画面を示す図である。（実施の形態１)
【図１１】患者選択画面を示す図である。（実施の形態１)
【図１２】患者スケジュール画面を示す図である。（実施の形態１)
【図１３】患者スケジュールの追加について説明する図である。（実施の形態１)
【図１４】患者スケジュールの追加について説明する図である。（実施の形態１)
【図１５】患者スケジュールの変更について説明する図である。（実施の形態１)
【図１６】患者スケジュールの変更について説明する図である。（実施の形態１)
【図１７】患者スケジュールの削除について説明する図である。（実施の形態１)
【図１８】患者スケジュールの削除について説明する図である。（実施の形態１)
【図１９】職員スケジュール生成の手順を示す図である。（実施の形態１)
【図２０】必要作業時間画面を示す図である。（実施の形態１)
【図２１】出勤オーダ表画面を示す図である。（実施の形態１)
【図２２】作業時間の平滑化の手順を示す図である。（実施の形態２）
【図２３】患者都合情報を追加した患者登録画面を示す図である。（実施の形態３)
【図２４】患者都合情報を反映した患者スケジュール画面を示す図である。（実施の形態３)
【図２５】患者都合情報を反映した患者スケジュールの変更について説明する図である。（実施の形態３)
【図２６】患者都合情報を追加した職員スケジュール生成の手順を示す図である。（実施の形態３）
【図２７】職員出勤表画面を示す図である。（実施の形態４）
【図２８】職員出勤情報を追加した職員スケジュール生成の手順を示す図である。（実施の形態４）
【図２９】作業割付表画面を示す図である。（実施の形態４）
【図３０】作業実績表画面を示す図である。（実施の形態５）
【図３１】作業実績情報を追加した職員スケジュール生成の手順を示す図である。（実施の形態５）
【図３２】患者要望情報を追加した患者登録画面を示す図である。（実施の形態６）
【図３３】患者要望情報を追加した職員スケジュール生成の手順を示す図である。（実施の形態６）
【図３４】被曝量管理情報画面を示す図である。（実施の形態７）
【図３５】被曝量管理情報を追加した職員スケジュール生成の手順を示す図である。（実施の形態７）
【図３６】放射線治療業務管理システムのメニュー画面を示す図である。（実施の形態８）
【図３７】職員選択画面を示す図である。（実施の形態８）
【図３８】作業リスト画面を示す図である。（実施の形態８）
【図３９】作業リストの印刷イメージを示す図である。（実施の形態８）
【図４０】放射線治療業務管理システムのメニュー画面を示す図である。（実施の形態９）
【図４１】リマインダー設定画面を示す図である。（実施の形態９）
【発明を実施するための形態】
【００１１】
実施の形態１．
以下、本発明の実施の形態１に係る放射線治療業務管理システムについて、図面に基づいて説明する。図１は、本発明の実施の形態１における放射線治療業務管理システムの構成を示している。放射線治療業務管理システムは、放射線治療業務に携わる医師及び放射線技師を含む複数の職種区分の職員について勤務スケジュールを生成し、これを管理するもので、図１に示すように、放射線治療業務に関する情報を管理するサーバ１と、このサーバ１とネットワーク３を介して接続され、システムユーザである職員が使用する端末２から構成されている。
【００１２】
サーバ１は、放射線治療業務に必要な様々な情報（以下、総称して治療業務情報と呼ぶ）を共有するためのサーバコンピュータである。サーバ１には、治療業務情報データベース（以下、データベースと略す）１１、マスタデータ作成手段１２、患者スケジュール作成手段１３、職員スケジュール生成手段１４、及びメニュー表示手段１５が搭載されている。
【００１３】
データベース１１は、放射線治療業務を構成する複数の作業項目とその実施場所、各作業項目を実施するために必要な職種区分とその人数、所要時間、及び各作業項目を実施可能な日付（カレンダー）を含む治療業務情報を蓄積するものである。治療業務情報作成手段であるマスタデータ作成手段１２は、データベース１１に蓄積される治療業務情報をシステムで共用するマスタデータとして設定、管理するもので、端末２から入力された治療業務情報をデータベース１１に登録したり、データベース１１に蓄積された治療業務情報を端末２に送信したりする際の制御を行う。
【００１４】
また、患者スケジュール作成手段１３は、放射線治療を受ける患者の氏名、生年月日等を含む患者情報をデータベース１１に登録し、登録した患者に対して実施される作業項目、実施日、及び作業予定時間を含む患者の治療スケジュール（以下、患者スケジュールと略す）を作成するものである。
【００１５】
職員スケジュール生成手段１４は、データベース１１に蓄積された治療業務情報と、患者スケジュール作成手段１３により作成された患者スケジュールをもとに、患者スケジュ
ールに含まれる作業項目の作業予定時間に対して当該職種区分の職員の割付を行い、職員の勤務スケジュール（以下、職員スケジュールと略す）を自動的に生成するものである。さらに、メニュー表示手段１５は、端末２に本システムのメニューを表示するものである。
【００１６】
端末２は、放射線治療に携わる医師、放射線技師、看護師、事務員等の職員が使用するパーソナルコンピュータ等の端末で、職員が治療業務情報をデータベース１１に入力するための入力手段（例えば図示しないキーボード）と、その入力の際のメニュー画面、及び職員スケジュール等を表示する表示手段（図示せず）を備えている。職員は、この端末２からネットワーク３を介してサーバ１にアクセスし、治療業務情報を登録したり、患者スケジュール及び職員スケジュールを閲覧したりすることができる。また、ネットワーク３は、ローカルエリアネットワーク（ＬＡＮ）等であり、有線、無線は問わない。
【００１７】
次に、データベース１１に格納されている治療業務情報（マスタデータを含む）について、図２を用いて説明する。データベース１１には、放射線治療施設の稼動日／休日等を管理するカレンダーマスタ１１１、放射線治療作業の実施場所を管理する実施場所マスタ１１２、放射線治療業務に携わる職員の職種区分を管理する職種区分マスタ１１３、放射線治療業務を構成する作業項目を管理する作業項目マスタ１１４、及び放射線治療を受ける患者データ１１５、各患者の治療スケジュールを管理する患者スケジュールデータ１１６、及び患者スケジュールをもとに生成される職員スケジュールデータ１１７が格納されている。なお、これらの詳細については後に説明する。
【００１８】
次に、本実施の形態１における放射線治療業務管理システムの動作について、図３〜図２１を用いて説明する。図３は、放射線治療業務管理システムの動作を示すフローチャートである。また、図４は本システムの画面構成、図５はメニュー画面をそれぞれ示している。本システムの全ての画面は、図５に示すメニュー画面から表示される。以下に示す図面の各画面は、このメニュー画面を経由して開かれたものである。
【００１９】
図３に示すように、本システムの動作の流れは、ステップ１（Ｓ１）におけるマスタデータ設定、ステップ２（Ｓ２）における患者スケジュール作成、ステップ３（Ｓ３）における職員スケジュール確認の３つのステップを含んでいる。まず、Ｓ１では、システムの動作に必要なマスタデータをデータベース１１に設定する。
【００２０】
具体的には、ステップ１１（Ｓ１１）においてカレンダーマスタを設定する。図５に示すメニュー画面から「マスタ設定／カレンダー」を選択すると、図６に示す「カレンダーマスタ設定」画面が表示される。表示されたカレンダーに放射線治療を実施する医療施設の稼働日または休日を指定し、カレンダーマスタを設定する。これにより、各作業項目を実施可能な日付がわかる。
【００２１】
次に、ステップ１２（Ｓ１２）において実施場所マスタを設定する。図５に示すメニュー画面から「マスタ設定／実施場所」を選択すると、図７に示す「実施場所マスタ設定」画面が表示される。表示された実施場所一覧から「場所名」を登録し（図７では照射室を登録）、実施場所マスタを設定する。
【００２２】
同様に、ステップ１３（Ｓ１３）において職種区分マスタを設定する。図５に示すメニュー画面から「マスタ設定／職種区分」を選択すると、図８に示す「職種区分マスタ設定」画面が表示される。表示された職種区分一覧から「職種名」を登録し（図８では放射線技師を登録）、職種区分マスタを設定する。
【００２３】
さらに、ステップ１４（Ｓ１４）において作業項目マスタを設定する。図５に示すメニ
ュー画面から「マスタ設定／作業項目」を選択すると、図９に示す「作業項目マスタ設定」画面が表示される。表示された画面において「作業項目名」を入力し（図９では「治療計画」）、その作業を行う「実施場所」をドロップダウンリストより選択する。実施場所のリストは、実施場所マスタとして登録したものが表示される。また、その作業を実施する職種と、所要時間を設定する。
【００２４】
以上のように、Ｓ１でシステムの動作に必要なマスタデータをデータベース１１に設定した後、Ｓ２において、患者スケジュールを作成する。具体的には、ステップ２１（Ｓ２１）において患者登録を行う。図５に示すメニュー画面から「業務支援／患者登録」を選択すると、図１０に示す「患者登録」画面が表示される。この画面において「詳細情報」に患者情報（患者ＩＤ、患者氏名、フリガナ、生年月日、性別）を入力し、「追加」を選択すると、「患者一覧」に入力した患者情報が追加される。
【００２５】
また、患者情報を修正する場合には、患者一覧の中から患者を選択すると、選択した患者の患者情報が「詳細情報」欄に表示される。その後、患者情報を修正し「変更」を選択すると、患者一覧で選択している患者情報を変更することができる。患者一覧から患者情報を選択している状態で「削除」を選択すると、当該患者の患者情報を削除することができる。患者一覧を選択した状態で黒三角（▲、▼）を選択すると、患者一覧で選択しているデータの並び順を任意の位置に移動することができる。
【００２６】
患者登録後、ステップ２２（Ｓ２２）において患者スケジュール作成を行う。図５に示すメニュー画面から「業務支援／患者スケジュール」を選択すると、図１１に示す「患者選択」画面が表示される。この画面において「患者一覧」からスケジュールを作成する患者を選択し、「スケジュール作成」を選択すると、図１２に示す「患者スケジュール」画面が表示される。ここで行う操作は、スケジュールの追加、変更、削除である。
【００２７】
スケジュールの追加について、図１３及び図１４を用いて説明する。なお、図１３は図１２と同じ「患者スケジュール」画面である。図１３に示すように、日時（作業予定時間）が決定していない作業項目のセルを選択し（図１３ではＰＥＴの項目でＡのセルを選択）、画面左上の「追加」を選択すると、図１４に示す「スケジュール追加」画面が表示される。「スケジュール追加」画面の縦軸は作業項目を示し、横軸は予約可能な時間を１５分刻みで示している。なお、予約可能な時間はシステム設定ファイルで変更可能である。
【００２８】
図１４に示す「スケジュール追加」画面で作業項目を選択すると（図１４ではＰＥＴを選択）、その項目の行に予約可能な時間が表示される。図１４では、空欄セルが予約可能な時間、「バツ（×）」が別の患者にて既に予約されている時間である。また「スラッシュ（／）」のセルは予約対象外の作業項目を示す。また、「米印（※）」は当該患者が他の作業項目で予約している時間を示す。これにより、連続性のある作業、例えば放射線照射後の一定時間のみ続く自己放射化を利用したＰＥＴ撮影等において、効率的に予約を行うことができる。なお、Ｓ１１（図６)においてカレンダーマスタで設定した休日は、予
約対象外として表示される。ここで、空いている時刻を選択し（図１４中、Ｂのセル）、「追加」を選択すると、スケジュールが追加される。
【００２９】
次に、スケジュールの変更について、図１５及び図１６を用いて説明する。なお、図１５は図１２と同じ「患者スケジュール」画面である。図１５に示すように、作業予定時間の決定している作業項目のセルを選択し（図１５ではＭＲＳの項目でＣのセルを選択）、画面左上の「変更」を選択すると、図１６に示す「スケジュール変更」画面が表示される。「スケジュール変更」画面の縦軸は作業項目を示し、横軸は予約可能な時間を１５分刻みで示している。また、画面上の「黒丸（●）」は、変更対象の予定を示している。なお、他の画面上のシンボル（※、×、／）については、スケジュール追加画面と同様である
。ここで、空いている時刻を選択し（図１６中、Ｄのセル）、「変更」を選択すると、スケジュールが選択した時間に変更される。
【００３０】
次に、スケジュールの削除について、図１７及び図１８を用いて説明する。なお、図１７は図１２と同じ「患者スケジュール」画面である。図１７に示すように、作業予定時間の決定している作業項目のセルを選択し（図１７ではＰＥＴの項目でＥのセルを選択）、画面左上の「削除」を選択すると、図１８に示す「スケジュール削除」の確認ダイアログが表示される。この画面で「ＯＫ」を選択すると削除が実行され、「キャンセル」を選択すると削除取り消しとなる。
【００３１】
Ｓ２２の患者スケジュール作成が完了後、ステップ２３（Ｓ２３）において、職員スケジュール生成が行われる。本システムにおいては、図１９に示すフローチャートに従い、職員スケジュールが自動的に生成される。以下に、Ｓ２３の職員スケジュール生成の手順について、図１９を用いて説明する。
【００３２】
まず、ステップ２３０１（Ｓ２３０１）において、患者スケジュールが追加された「作業項目」を取得する。次に、ステップ２３０２（Ｓ２３０２）で、その「作業項目」を実施する「職種区分」を取得し、ステップ２３０３（Ｓ２３０３）で、その「職種区分」の「人数」を取得する。患者スケジュールを追加、変更する場合、ステップ２３０４（Ｓ２３０４）で、その職種区分の一人目（例えば放射線技師１）について、患者スケジュールを追加した日時に、作業予定があるかどうかを調べる。
【００３３】
ステップ２３０５（Ｓ２３０５）において、その職種区分の一人目に作業予定がある場合（Ｎｏの場合）、ステップ２３０６（Ｓ２３０６）に進み、同じ職種区分の次職員（例えば放射線技師１の作業予定があれば放射線技師２）について、患者スケジュールを追加した日時に作業予定があるかどうかを、Ｓ２３０５に戻って調べる。また、Ｓ２３０５において、その職種区分の一人目に作業予定がない場合（Ｙｅｓの場合）、ステップ２３０７（Ｓ２３０７）に進み、職員スケジュールとして、指定した日時に作業予定を追加する。
【００３４】
さらに、患者スケジュールを変更、削除する場合、ステップ２３０８（Ｓ２３０８）で、その職種区分の一人目（例えば放射線技師１）について、患者スケジュールの変更元、あるいは削除した日時に、作業予定があるかどうかを調べる。ステップ２３０９（Ｓ２３０９）において、作業予定がない場合（Ｎｏの場合）、ステップ２３１０（Ｓ２３１０）に進み、同じ職種区分の次職員（例えば放射線技師１の作業予定がなければ放射線技師２）について、患者スケジュールの変更元、あるいは削除した日時に作業予定があるかどうかを、Ｓ２３０９に戻って調べる。また、Ｓ２３０９において、作業予定がある場合（Ｙｅｓの場合）、ステップ２３１１（Ｓ２３１１）に進み、職員スケジュールより、指定した日時の作業予定を削除する。
【００３５】
さらに、ステップ２３１２（Ｓ２３１２）で、その作業項目を実施する全ての「職種区分」を調べたかどうかを確認し、調べていない場合（Ｎｏの場合）は、ステップ２３１３（Ｓ２３１３）に進み、職種区分リストの次の職種区分について調べるため、Ｓ２３０３に戻り、以降のステップを繰り返す。Ｓ２３１２で、その作業項目を実施する全ての「職種区分」を調べた場合（Ｙｅｓの場合）、Ｓ２３の職員スケジュール生成は終了する。
【００３６】
以上の作業によって、Ｓ２の患者スケジュール作成が完了後、Ｓ３のステップ３１（Ｓ３１）において職員スケジュール確認を行う。図５に示すメニュー画面から「業務支援／職員スケジュール」を選択すると、図２０に示す「必要作業時間」画面において、横軸の日付ごとに、縦軸の各職種区分の職員ごとの作業時間が表示される。同じ職種区分につい
て複数人必要となる場合は、職種区分１、職種区分２（例えば放射線技師１、放射線技師２）・・・のように表示される。これにより、日付ごとの各職種区分における必要職員数と作業時間を確認することができる。
【００３７】
また、職員スケジュール生成手段１４は、選択された日付について、各作業項目の作業予定時間に割付された当該職種区分の職員を示す出勤オーダ表を作成する。図２０に示す「必要作業時間」画面において、日付を選択し、画面右上の「出勤オーダ表」を選択すると、図２１に示す「出勤オーダ表」画面が表示される。「出勤オーダ表」において、縦軸は職種区分、横軸は選択した日付の時間が１５分刻みで表示される。この出勤オーダ表により、各職員の作業予定時間が特定でき、職員スケジュールを確認することができる。
【００３８】
以上のように、本実施の形態１によれば、データベース１１に蓄積されたマスタデータと患者スケジュールをもとに、患者スケジュールに含まれる作業項目の作業予定時間に対して当該職種区分の職員の割付を行い、放射線治療業務に携わる複数の職種区分の各職員の職員スケジュールを容易に生成することが可能な放射線治療業務管理システムを提供することができる。
【００３９】
実施の形態２．
本発明の実施の形態２では、上記実施の形態１で説明した職員スケジュール生成の手順において、同じ職種区分の職員について、１日の作業予定時間の差が所定時間以内となるように、当該職種区分の職員の割付を行う。これにより、同じ職種区分の職員について作業予定時間の平滑化を行うものである。
【００４０】
本実施の形態２における同じ職種区分の職員の作業予定時間の平滑化の手順について、図２２を用いて説明する。図２２は、上記実施の形態１で説明した図１９に示すフローチャートに、作業予定時間の平滑化を目的としたステップ２３１４（Ｓ２３１４）〜ステップ２３１８（Ｓ２３１８）の処理を追加したもので、それ以外の処理は図１９と同様であるので図示を一部省略している。
【００４１】
まず、上記実施の形態１（図１９）と同様に、Ｓ２３０１〜Ｓ２３０３の処理を行う。患者スケジュールを追加、変更する場合、Ｓ２３０４で、その職種区分の一人目（例えば放射線技師１）について、患者スケジュールを追加した日時に、作業予定があるかどうかを調べる。Ｓ２３０５において、その職種区分の一人目に作業予定がある場合（Ｎｏの場合）、Ｓ２３０６に進み、同じ職種区分の次職員（例えば放射線技師１の作業予定があれば放射線技師２）について、患者スケジュールを追加した日時に作業予定があるかどうかを、Ｓ２３０５に戻って調べる。
【００４２】
また、Ｓ２３０５において、その職種区分の一人目に作業予定がない場合（Ｙｅｓの場合）、本実施の形態２では、同じ職種区分の職員の作業予定時間の平滑化を行うために、ステップ２３１４（Ｓ２３１４）に進み、同じ職種区分の職員ごとのその日の作業予定時間を調べ、ステップ２３１５（Ｓ２３１５）において、選択した職員と同じ職種区分の他の職員のその日の作業予定時間と比較する。
【００４３】
Ｓ２３１５において、選択した職員のその日の作業予定時間が他の職員より少ないかどうかを調べ、少なかった場合（Ｙｅｓの場合）はＳ２３０７に進み、職員スケジュールとして、指定した日時に作業予定を追加する。また、Ｓ２３１５において、選択した職員のその日の作業予定時間が他の職員より多かった場合（Ｎｏの場合）、ステップ２３１６（Ｓ２３１６）に進み、他の職員との作業予定時間の差が所定時間（ここでは１時間）以内であった場合（Ｙｅｓの場合）はＳ２３０７に進み、職員スケジュールとして、指定した日時に作業予定を追加する。
【００４４】
一方、Ｓ２３１６において、他の職員との作業予定時間の差が１時間以内ではない場合（Ｎｏの場合）は、同じ職種区分の職員の作業予定時間の平滑化を行うために、Ｓ２３０６に進み、同じ職種区分の次職員について、患者スケジュールを追加した日時に作業予定があるかどうかを、Ｓ２３０５に戻って調べる。それ以降の処理は、上記実施の形態１と同様であるので説明を省略する。なお、Ｓ２３１６では、他の職員との作業予定時間差を１時間以内としたが、この時間差は任意に設定することができる。
【００４５】
さらに、患者スケジュールを変更、削除する場合、Ｓ２３０８で、その職種区分の一人目（例えば放射線技師１）について、患者スケジュールの変更元、あるいは削除した日時に、作業予定があるかどうかを調べる。Ｓ２３０９において、作業予定がない場合（Ｎｏの場合）、Ｓ２３１０に進み、同じ職種区分の次職員（例えば放射線技師１の作業予定がなければ放射線技師２）について、患者スケジュールの変更元、あるいは削除した日時に作業予定があるかどうかを、Ｓ２３０９に戻って調べる。
【００４６】
また、Ｓ２３０９において、作業予定がある場合（Ｙｅｓの場合）、ステップ２３１７（Ｓ２３１７）に進み、同じ職種区分の職員ごとのその日の作業予定時間を調べ、選択した職員のその日の作業予定時間と比較する。ステップ２３１８（Ｓ２３１８）において、選択した職員のその日の作業予定時間が他の職員より多い場合（Ｙｅｓの場合）はＳ２３１１に進み、職員スケジュールとして、指定した日時の作業予定を削除する。
【００４７】
一方、Ｓ２３１８において、選択した職員のその日の作業予定時間が他の職員より少ない場合（Ｎｏの場合）、Ｓ２３１０に進み、同じ職種区分の次職員について、患者スケジュールの変更元、あるいは削除した日時に作業予定があるかどうかを、Ｓ２３０９に戻って調べる。すなわち、作業予定を削除する際にも、作業予定時間の平滑化を行うために、作業予定時間の多い職員から順に作業予定を削除する。
【００４８】
本実施の形態２によれば、上記実施の形態１と同様の効果に加え、同じ職種区分の職員の作業予定時間の差が予め設定した時間以内となるように、作業予定時間の平滑化を行いながら、職員スケジュールを生成することが可能である。
【００４９】
実施の形態３．
本発明の実施の形態３では、データベース１１に登録する患者情報として、その患者が入院患者か通院患者かの区分、及びその患者の都合で治療を実施できない日（曜日、午前または午後）等の条件を示した患者都合情報を含み、患者スケジュール作成手段１３は、患者都合情報をもとに患者スケジュールを作成するものである。
【００５０】
上記実施の形態１では、患者登録（Ｓ２１）の際に、「患者登録」画面（図１０）において「詳細情報」に患者情報（患者ＩＤ、患者氏名、フリガナ、生年月日、性別）を入力した。本実施の形態３ではさらに、同様の患者登録の際に、患者都合情報を追加して患者スケジュールを再構築し、これを反映させた職員スケジュールを生成する。
【００５１】
図２３は、本実施の形態２における放射線治療業務管理システムの「患者登録」画面を示している。図２３に示す「患者登録」画面では、上記実施の形態１（図１０）と同様の入力に加え、詳細情報として入外区分（通院または入院）を入力し、患者都合情報として、割当不可条件を入力するように構成されている。具体的には、割当不可条件として、繰り返し条件（毎週、第２、第３・・・）、曜日、時間区分（終日、午前、午後）を追加設定することができる。これらの入力を行い、画面右上の「追加」を選択すると、「患者一覧」に入力した患者情報が追加される。図２３に示す患者一覧には、患者ごとに、入外区分（通院または入院）と患者都合の有無が追加されている。
【００５２】
さらに、上記実施の形態１と同様に、「患者一覧」が表示された「患者選択」画面から、スケジュールを作成する患者を選択し、さらに「スケジュール作成」を選択すると、図２４に示す患者都合を反映した「患者スケジュール」画面が表示され、スケジュールの追加、変更、削除の操作を行うことができる。
【００５３】
患者都合情報を反映した「患者スケジュール」画面におけるスケジュールの変更について、図２４及び図２５を用いて説明する。図２４に示すように、作業予定時間を変更したい作業項目のセルを選択し（図２４では８月２０日（月）のＭＲＳの項目でＦのセルを選択）、画面左上の「変更」を選択すると、図２５に示す「スケジュール変更」画面が表示される。ここで、空いている時刻を選択し、さらに「変更」を選択すると、スケジュールが選択した時刻に変更される。なお、図２３〜図２５に示す例では、患者Ａは毎週月曜日の午前中は割当不可であるので、図２５に示す「スケジュール変更」画面では、月曜日の午前中は予約対象外となっている。
【００５４】
本実施の形態３における患者都合情報を追加した職員スケジュール生成の手順について図２６を用いて説明する。本実施の形態３では、ある日時の予約人数が同一職種の全職員数を超える場合、入外区分、割当不可条件の順で条件確認を行い、患者の予定を変更したり、患者同士の予定を置き換えたりして患者スケジュールを再構築する。なお、図２６は、上記実施の形態２で説明した図２２に示すフローチャートに、患者都合情報の反映を目的としたステップ２３１９（Ｓ２３１９）〜ステップ２３２７（Ｓ２３２７）の処理を追加したもので、それ以外の処理は図１９及び図２２と同様であるので図示を一部省略している。
【００５５】
患者スケジュールの追加、変更において、Ｓ２３０５でその職種区分の一人目に作業予定がある場合（Ｎｏの場合）、Ｓ２３０６に進み、同じ職種区分の次職員（例えば放射線技師１の作業予定があれば放射線技師２）について、患者スケジュールを追加した日時に作業予定があるかどうかを、ステップ２３１９（Ｓ２３１９）で調べる。同じ職種区分の全職員の作業予定がない場合（Ｎｏの場合）には、Ｓ２３０５に戻る。また、Ｓ２３１９において同じ職種区分の全職員の作業予定がある場合（Ｙｅｓの場合）、ステップ２３２０（Ｓ２３２０）に進み、その患者の患者情報を調べる。
【００５６】
ステップ２３２１（Ｓ２３２１）でその患者が入院患者であった場合（Ｙｅｓの場合）、ステップ２３２２（Ｓ２３２２）に進み、その患者の患者スケジュールを、追加した日時に最も近い時間に変更する。また、Ｓ２３２１でその患者が入院患者でない場合（Ｎｏの場合）、ステップ２３２３（Ｓ２３２３）に進み、患者スケジュールを追加した日の他の時間全てに割当不可情報があるかどうかを調べる。Ｓ２３２３で、患者スケジュールを追加した日の他の時間全てに割当不可情報がない場合（Ｎｏの場合）は、Ｓ２３２２に戻り、その患者の患者スケジュールを、追加した日時に最も近い時間に変更する。
【００５７】
一方、Ｓ２３２３で、患者スケジュールを追加した日の他の時間全てに割当不可情報がある場合（Ｙｅｓの場合）は、ステップ２３２４（Ｓ２３２４）に進み、その日時に既に予定されているその職種区分の一人目について、他の患者（例えば患者１）の患者情報を調べる。ステップ２３２５（Ｓ２３２５）で、他の患者（例えば患者１）が入院患者でない場合（Ｎｏの場合）、ステップ２３２６（Ｓ２３２６）に進み、同じ職種区分の次職員（例えば放射線技師１の作業予定があれば放射線技師２）について、その日時に既に予定されている他の患者（例えば患者２）の患者情報を、Ｓ２３２５に戻って調べる。
【００５８】
また、Ｓ２３２５で他の患者（例えば患者１）が入院患者であった場合（Ｙｅｓの場合）、ステップ２３２７（Ｓ２３２７）に進み、スケジュールを追加した患者と他の患者（
患者１）の予定を置き換え、他の患者の患者スケジュールを、もとの日時に最も近い時間に変更する。
【００５９】
本実施の形態３によれば、上記実施の形態１及び実施の形態２と同様の効果に加え、ある日時の予約人数が同一職種の全職員数を超えた場合に、患者都合情報の入外区分、割当不可条件をもとに患者スケジュールの再構築を実施し、既存の職員数で患者都合情報を配慮した割付を行うことができる。
【００６０】
実施の形態４．
本発明の実施の形態４では、さらに、各職種区分の職員の出勤予定日及び休暇予定日を含む職員出勤情報をデータベース１１に登録し、職員スケジュール生成手段１４は、この職員出勤情報をもとに各職種区分の職員の割付を行い、職員の出勤予定を配慮した職員スケジュールを生成するものである。図２７は、「職員出勤表」画面を示している。この職員出勤表には、全ての職種区分の全職員について出勤予定が示されている。
【００６１】
図２８は、本実施の形態４における職員出勤情報を追加した職員スケジュール生成の手順を示すフローチャートである。なお、図２８は、上記実施の形態３で説明した図２６に示すフローチャートに、職員出勤情報の反映を目的としたステップ２３２８（Ｓ２３２８）〜ステップ２３３１（Ｓ２３３１）の処理を追加したもので、それ以外のステップは図１９、図２２、及び図２６と同様であるので図示を一部省略している。
【００６２】
本実施の形態４における職員出勤情報を追加した職員スケジュール生成の手順について、図２８を用いて説明する。職員スケジュール生成（Ｓ２３）において、まず、ステップ２３２８（Ｓ２３２８）で「職員出勤表」を取得する。次に、Ｓ２３０１〜Ｓ２３０３で「作業項目」、「職種区分」「人数」をそれぞれ取得し、ステップ２３２９（Ｓ２３２９）で、その職種区分の一人目（例えば放射線技師１）について、患者スケジュールを追加した日時に、出勤予定があるかどうかを調べる。ステップ２３３０（Ｓ２３３０）で、その日時に出勤予定がある場合（Ｙｅｓの場合）、Ｓ２３０４に進む。
【００６３】
一方、Ｓ２３３０で、その日時に出勤予定がない場合（Ｎｏの場合）、ステップ２３３１（Ｓ２３３１）に進み、同じ職種区分の次職員（例えば放射線技師１の出勤予定がなければ放射線技師２）について、患者スケジュールを追加した日時に出勤予定があるかどうかを、Ｓ２３３０で調べる。その日時に出勤予定がある職員が見つかるまでこれを繰り返し、Ｓ２３０４に進む。なお、それ以降の処理は上記実施の形態１〜３と同様であるので説明を省略する。以上の手順により、図２９に示す「作業割付表」が作成される。ここで作成された作業割付表は、職員出勤情報及び患者都合情報をもとに作成され、さらに作業時間の平滑化も考慮されたものとなっている。
【００６４】
本実施の形態４によれば、上記実施の形態１〜実施の形態３と同様の効果に加え、職員出勤情報を追加することにより、職員の出勤予定を配慮した職員スケジュールを生成することが可能である。
【００６５】
実施の形態５．
上記実施の形態２では、同じ職種区分の職員の作業予定時間の平滑化を行ったが、作業予定時間と実作業時間は必ずしも一致しない。そこで、本発明の実施の形態５では、職員の作業実施回数と平均所要時間を含む作業実績情報をデータベース１１に登録し、職員スケジュール生成手段１４は、この作業実績情報をもとに、当該作業項目の作業予定時間に適した当該職種区分の職員の割付を行う。これにより、各職員の作業実績に配慮した職員スケジュールを生成し、作業予定時間と実作業時間の差を抑えるものである。
【００６６】
図３０は、「作業実績表」画面を示している。図３０に示す例では、放射線技師（Ａ、Ｂ、Ｃ）について、ＭＲ、固定具等の作業項目ごとに、年間、月間それぞれの実施回数、平均所要時間、時間超過回数を示している。なお、各作業項目の作業予定時間は、図９に示す作業項目マスタ設定で予め設定されている（例えばＭＲの場合、６０分）。本実施の形態５では、各職員の作業実績情報として、平均所要時間が作業予定時間に対して下回る職員を割付することで、作業予定時間と実作業時間の差を抑えるようにしたものである。
【００６７】
図３１は、本実施の形態５における作業実績情報を追加した職員スケジュール生成の手順を示すフローチャートである。なお、図３１は、上記実施の形態４で説明した図２８に示すフローチャートに、作業実績情報の反映を目的としたステップ２３３２（Ｓ２３３２）〜ステップ２３３４（Ｓ２３３４）の処理を追加したもので、それ以外のステップは図１９、図２２、図２６、及び図２８と同様であるので図示を一部省略している。
【００６８】
本実施の形態５における作業実績情報を追加した職員スケジュール生成の手順について、図３１を用いて説明する。職員スケジュール生成（Ｓ２３）において、まず、ステップ２３３２（Ｓ２３３２）で「作業実績表」を取得する。次に、Ｓ２３２８、Ｓ２３０１、及び図示しないＳ２３０２とＳ２３０３で「職員出勤表」、「作業項目」、「職種区分」「人数」をそれぞれ取得し、Ｓ２３２９で、その職種区分の一人目（例えば放射線技師１）について、患者スケジュールを追加した日時に、出勤予定があるかどうかを調べる。Ｓ２３３０で、その日時に出勤予定がある場合（Ｙｅｓの場合）、ステップ２３３３（Ｓ２３３３）に進む。Ｓ２３３０で、その日時に出勤予定がない場合（Ｎｏの場合）、Ｓ２３３１に進む。
【００６９】
Ｓ２３３３では、その職種区分の一人目（例えば放射線技師１）について、作業実績を確認し、平均所要時間が、作業項目マスタで設定される所要時間（例えばＭＲの場合６０分）以内であることを確認する。ステップ２３３４（Ｓ２３３４）で、平均所要時間が作業項目マスタで設定される所要時間以内である場合（Ｙｅｓの場合）、Ｓ２３０４に進む。また、Ｓ２３３４で平均所要時間が作業項目マスタで設定される所要時間以内でない場合（Ｎｏの場合）、Ｓ２３３１に進む。なお、それ以降の処理は上記実施の形態１〜４と同様であるので説明を省略する。
【００７０】
本実施の形態５によれば、上記実施の形態１〜実施の形態４と同様の効果に加え、職員の作業実績情報を追加することにより、作業予定時間と実作業時間の差を抑えた職員スケジュールを生成することが可能である。
【００７１】
実施の形態６．
本発明の実施の形態６では、データベース１１に登録する患者情報として、その患者が担当を要望する職員を指名した患者要望情報を含み、職員スケジュール生成手段１４は、この患者要望情報をもとに当該職種区分の職員の割付を行うものである。
【００７２】
上記実施の形態１では、職員スケジュール作成手順フローチャート（図３）における患者登録（Ｓ２１）の際に、「患者登録」画面（図１０）において「詳細情報」に患者情報（患者ＩＤ、患者氏名、フリガナ、生年月日、性別）を入力し、上記実施の形態３では、患者都合情報を入力した。本実施の形態６ではさらに、患者要望情報（指名担当医師、指名担当技師）を入力し、患者要望に配慮した職員スケジュールを生成する。
【００７３】
図３２は、本実施の形態６における放射線治療業務管理システムの「患者登録」画面を示している。図３２に示す「患者登録」画面では、上記実施の形態３（図２３）と同様の入力に加え、患者要望情報として、指名担当医師と、指名担当技師を入力するように構成されている。これらの入力を行い、画面右上の「追加」を選択すると、「患者一覧」に入
力した患者情報が追加される。  
【００７４】
図３３は、本実施の形態６における患者要望情報を追加した作業割付の手順を示すフローチャートである。なお、図３３は、上記実施の形態５で説明した図３１に示すフローチャートに、患者要望情報を追加した作業割付を目的としたステップ２３３５（Ｓ２３３５）〜ステップ２３３７（Ｓ２３３７）の処理を追加したもので、それ以外のステップは図１９、図２２、図２６、図２８、及び図３１と同様であるので図示を一部省略している。
【００７５】
本実施の形態６における患者要望情報を追加した職員スケジュール生成の手順について、図３３を用いて説明する。職員スケジュール生成（Ｓ２３）において、まず、ステップ２３３５（Ｓ２３３５）で「患者要望」を取得する。次に、Ｓ２３３２、Ｓ２３２８、及び図示しないＳ２３０１〜Ｓ２３０３で「作業実績表」「職員出勤表」、「作業項目」、「職種区分」「人数」をそれぞれ取得し、ステップ２３３６（Ｓ２３３６）で、その職種区分の患者指名（例えば放射線技師Ａ）について、患者スケジュールを追加した日時に、出勤予定があるかどうかを調べる。
【００７６】
ステップ２３３７（Ｓ２３３７）で、その日時に出勤予定がある場合（Ｙｅｓの場合）、職員スケジュールとして、指定した日時に作業予定を追加する。また、Ｓ２３３７で、その日時に出勤予定がない場合（Ｎｏの場合）、Ｓ２３２９に進む。なお、それ以降の処理は上記実施の形態１〜５と同様であるので説明を省略する。
【００７７】
本実施の形態６によれば、上記実施の形態１〜実施の形態５と同様の効果に加え、患者要望情報を追加し、患者要望情報により指名された職員の出勤予定が患者スケジュールと合致した場合には、患者要望（指名）を優先した割付を行うようにしたので、患者の満足度を向上させることができる。
【００７８】
実施の形態７．
本発明の実施の形態７では、所定期間における職員の累計被曝量を管理する被曝量管理情報をデータベース１１に登録し、職員スケジュール生成手段１４は、この被曝量管理情報をもとに、職員の予測累計被曝量が予め設定した管理値を超えないように当該職種区分の職員の割付を行い、職員の被曝量に配慮した職員スケジュールを生成するものである。
【００７９】
図３４は、「被曝量管理情報」画面を示している。被曝量は、職員ごとに携帯可能なモニタリング線量計で測定される。被曝量管理情報は、職員の３カ月、１年、５年の期間累積被曝量を作業日数で割って算出した平均被曝量である当該日の「予測累積被曝量」として表示される。
【００８０】
図３５は、本実施の形態７における被曝量管理情報を追加した職員スケジュール生成の手順を示すフローチャートである。なお、図３５は、上記実施の形態６で説明した図３３に示すフローチャートに、被曝量管理情報の反映を目的としたステップ２３３８（Ｓ２３３８）〜ステップ２３４３（Ｓ２３４３）の処理を追加したもので、それ以外のステップは図１９、図２２、図２６、図２８、図３１、及び図３３と同様であるので図示を一部省略している。
【００８１】
本実施の形態７における被曝量管理情報を追加した職員スケジュール生成の手順について、図３５を用いて説明する。職員スケジュール生成（Ｓ２３）において、まず、ステップ２３３８（Ｓ２３３８）で「被曝量管理情報」を取得する。次に、Ｓ２３３５、Ｓ２３３２、Ｓ２３２８、及び図示しないＳ２３０１〜Ｓ２３０３で「患者要望」「作業実績表」「職員出勤表」、「作業項目」、「職種区分」「人数」をそれぞれ取得し、ステップ２３３９（Ｓ２３３９）に進む。
【００８２】
Ｓ２３３９で、その職種区分の被曝量管理情報より、全職員の当該日の予測累積被曝量が、期間被曝量管理値（例えば３ヶ月間で５ｍＳｖ、1年間で２０ｍＳｖ、５年間で１０
０ｍＳｖ）未満であることを確認する。ステップ２３４０（Ｓ２３４０）で、その職員の当該日の予測累積被曝量が管理値を超えていた場合（Ｎｏの場合）、ステップ２３４１（Ｓ２３４１）に進み、当該日の予測累計被曝量が管理値以上の職員には、被曝する作業の割付を行わない。
【００８３】
また、Ｓ２３４０で、その職員の当該日の予測累積被曝量が管理値未満である場合（Ｙｅｓの場合）、ステップ２３４２（Ｓ２３４２）に進み、全職員について確認する。Ｓ２３４２で全職員について確認した場合（Ｙｅｓの場合）、Ｓ２３３６に進む。また、Ｓ２３４２で全職員について確認していない場合（Ｎｏの場合）、ステップ２３４３（Ｓ２３４３）に進み、その職種区分の別の職員の当該日の予測累計被曝量を、Ｓ２３４０に戻って調べる。
【００８４】
本実施の形態７によれば、上記実施の形態１〜実施の形態６と同様の効果に加え、職員の被曝量を管理し、期間被曝量管理値を超える職員は被曝する作業の割付から除外するようにしたので、職員の被曝量を管理値以内に抑えることが可能である。
【００８５】
実施の形態８．
図３６は、本発明の実施の形態８における放射線治療業務管理システムのメニュー画面を示す図である。本実施の形態８では、上記実施の形態１で説明したメニュー画面（図５）に「作業リスト」を追加し、職員スケジュールを職員別に抽出できるようにしたものである。端末２の表示手段で職員名と日付を選択すると、その職員の当該日の作業項目、実施予定時間、実施場所、及び患者名を含む職員別作業リストを表示する。さらに、端末２は、印刷手段であるプリンタ（図示せず）を備え、作業リストを印刷可能である。なお、それ以外の構成については上記実施の形態１〜実施の形態７と同様であるので説明を省略する。
【００８６】
図３６に示すメニュー画面から「業務支援／作業リスト」を選択すると、図３７に示す「職員選択」画面が表示される。この画面において「職員一覧」より作業リストを表示する職員（図３７では放射線技師Ｂ）を選択し、さらに「作業リスト表示」を選択すると、図３８に示すように、選択された職員（放射線技師Ｂ）の、選択された日付の時間ごとの作業項目、実施場所、患者名等が記載された「作業リスト」画面が表示される。さらに図３８において「印刷」を選択すると、図３９に示すような作業リストが印刷される。図３９に示す作業リストは、各作業項目の右端に、職員の作業漏れを防止する作業チェック欄を有しており、職員自身が作業の完了を確認できる構成となっている。
【００８７】
本実施の形態８によれば、上記実施の形態１〜実施の形態７と同様の効果に加え、職員別の作業リストを表示、印刷できるようにしたので、各職員が自身の一日のスケジュール（作業項目、実施場所、患者等）を把握することができ、作業漏れを防止することができる。
【００８８】
実施の形態９．
本発明の実施の形態９では、その日に予定された作業項目を実施する職員に対して、少なくとも当該作業項目の作業予定時間（または開始時刻）と実施場所を通知する電子メールを、作業予定時間の前（当日の朝、または作業予定時間の１０分前等）に配信するようにしたものである。電子メールを配信する時刻を設定した通知時刻設定（リマインダー設定）情報は、データベース１１に登録され、設定された時刻になると当該職員に電子メールが自動配信される。
【００８９】
図４０は、本実施の形態９における放射線治療業務管理システムのメニュー画面を示す図である。本実施の形態９では、上記実施の形態８で説明したメニュー画面（図３６）に「リマインダー設定」を追加し、作業予定時間の開始時刻より前の予め設定された時刻に、端末２または職員が携帯しているモバイル端末に、職員スケジュールの作業項目、作業予定時間（開始時刻）、実施場所等を通知するようにしたものである。なお、それ以外の構成については上記実施の形態１〜実施の形態８と同様であるので説明を省略する。
【００９０】
図４０に示すメニュー画面から「マスタ設定／リマインダー設定」を選択すると、図４１に示す「リマインダー設定」画面が表示される。この画面において、リマインダー機能のオン、オフを選択する。オンを選択するとリマインダー機能が有効となり、設定項目が活性化する。さらに、リマインダー設定を職員一括設定にするか、職員別に設定するかを選択し、いずれの場合も、それぞれの作業毎に何分前に通知するか、または毎日何時何分に通知するかを設定する。ただし、同一患者に対して同一作業を連続して行う場合は通知を行わない。また、通知時刻の設定項目に空白を選択した場合、通知は行わない。
【００９１】
本実施の形態９によれば、上記実施の形態１〜実施の形態８と同様の効果に加え、リマインダー設定を行えるようにしたので、作業開始時刻の直前に担当職員に通知することができ、作業漏れを防止することができる。
【産業上の利用可能性】
【００９２】
本発明に係る放射線治療業務管理システムは、医療施設において放射線治療業務に携わる職員のスケジュールを生成、管理する業務管理システムとして利用することができる。
【符号の説明】
【００９３】
１  サーバ、２  端末、３  ネットワーク、１１  データベース、１２  マスタデータ作成手段、１３  患者スケジュール作成手段、１４  職員スケジュール作成手段、
１５  メニュー表示手段、１１１  カレンダーマスタ、１１２  実施場所マスタ、
１１３  職種区分マスタ、１１４  作業項目マスタ、１１５  患者データ、
１１６  患者スケジュールデータ、１１７  職員スケジュールデータ。
【図１】
2010250681.tif 000003
【図２】
2010250681.tif 000004
【図３】
2010250681.tif 000005
【図４】
2010250681.tif 000006
【図５】
2010250681.tif 000007
【図６】
2010250681.tif 000008
【図７】
2010250681.tif 000009
【図８】
2010250681.tif 000010
【図９】
2010250681.tif 000011
【図１０】
2010250681.tif 000012
【図１１】
2010250681.tif 000013
【図１２】
2010250681.tif 000014
【図１３】
2010250681.tif 000015
【図１４】
2010250681.tif 000016
【図１５】
2010250681.tif 000017
【図１６】
2010250681.tif 000018
【図１７】
2010250681.tif 000019
【図１８】
2010250681.tif 000020
【図１９】
2010250681.tif 000021
【図２０】
2010250681.tif 000022
【図２１】
2010250681.tif 000023
【図２２】
2010250681.tif 000024
【図２３】
2010250681.tif 000025
【図２４】
2010250681.tif 000026
【図２５】
2010250681.tif 000027
【図２６】
2010250681.tif 000028
【図２７】
2010250681.tif 000029
【図２８】
2010250681.tif 000030
【図２９】
2010250681.tif 000031
【図３０】
2010250681.tif 000032
【図３１】
2010250681.tif 000033
【図３２】
2010250681.tif 000034
【図３３】
2010250681.tif 000035
【図３４】
2010250681.tif 000036
【図３５】
2010250681.tif 000037
【図３６】
2010250681.tif 000038
【図３７】
2010250681.tif 000039
【図３８】
2010250681.tif 000040
【図３９】
2010250681.tif 000041
【図４０】
2010250681.tif 000042
【図４１】
2010250681.tif 000043